(57)【要約】【課題】本発明は、日常生活動作等をしても尿取りパッドを安定維持できるため失禁しても下着等が濡れるのを防止できると共に下腹部・太腿部付根周辺と男性器の陰茎部・陰嚢部が直接接触するのを防いで男性器が不快感を感じたり蒸れたりするのを抑えることができる男性器収容仕切ポケット内設型男性器ホールド下着を提供する。【解決手段】男性器収容仕切ポケット内設型男性器ホールド下着１０の下着本体１２は前身頃１４と後身頃１６を備えている。前身頃１４の裏側には仕切布３２が配設されている。前身頃１４と仕切布３２との間には男性器収容仕切ポケット３６が形成されている。男性器収容仕切ポケット３６には尿取りパッド４０を収容できるようになっている。仕切布３２には男性器挿入スリット４２が形成されているため、男性器挿入スリット４２を介して男性器を男性器収容仕切ポケット３６に収容できるようになっている。【選択図】図１
2015010299.tif 000002
【特許請求の範囲】
【請求項１】
前身頃と後身頃を備えた下着本体と、この下着本体の上部に形成された胴部開口部と、前記下着本体の下部の左右にそれぞれ開口形成された脚部開口部と、前記前身頃の裏側に配設された仕切布と、前記前身頃と前記仕切布との間にポケット状に形成された男性器収容仕切ポケットと、前記仕切布に形成された男性器挿入スリットと、を有してなることを特徴とする男性器収容仕切ポケット内設型男性器ホールド下着。
【請求項２】
前身頃と後身頃を備えた下着本体と、この下着本体の上部に形成された胴部開口部と、前記下着本体の下部の左右にそれぞれ開口形成された脚部開口部と、前記前身頃の裏側に配設された仕切布と、前記前身頃と前記仕切布との間にポケット状に形成された男性器収容仕切ポケットと、この男性器収容仕切ポケットの上部に形成されたポケット開閉部と、前記仕切布に形成された男性器挿入スリットと、前記男性器収容仕切ポケットの下部に形成された陰嚢部収容部と、を有してなることを特徴とする男性器収容仕切ポケット内設型男性器ホールド下着。
【請求項３】
前身頃と後身頃を備えた下着本体と、この下着本体の上部に形成された胴部開口部と、前記下着本体の下部の左右にそれぞれ開口形成された脚部開口部と、前記前身頃の中間部裏側に配設された仕切布と、前記前身頃と前記仕切布との間にポケット状に形成された男性器収容仕切ポケットと、この男性器収容仕切ポケットの上部に形成されたポケット開閉部と、前記仕切布に上下方向に向かって形成された男性器挿入スリットと、前記仕切布の男性器挿入スリットの下方部に形成された陰嚢部抜出阻止部と、前記男性器収容仕切ポケットの下部に形成された陰嚢部収容部と、を有してなることを特徴とする男性器収容仕切ポケット内設型男性器ホールド下着。
【発明の詳細な説明】
【技術分野】
【０００１】
本発明は、男性が着用する下着に関し、詳しくは無意識に尿を失禁してしまう場合やスポーツ等をする場合等をはじめとして、日常的に着用するのにも適した男性器収容仕切ポケット内設型男性器ホールド下着に関する。
【背景技術】
【０００２】
一般的に男性が着用する下着は上部に胴部開口部が形成され、下部の左右に脚部開口部がそれぞれ開口形成されている。また、前部の中央部には男性器の陰茎部を出し入れできる陰茎部突出部が形成されている。
ところで、前立腺や膀胱等の病気を治療したり手術した後等は病気治療、手術の影響等によって社会復帰した後でもクシャミや咳をした場合等をはじめとして些細な拍子で無意識に尿を失禁してしまう場合がある。
このような場合に、下着やズボン等が濡れて汚れてしまうのを防止するため男性器の陰茎部に取り付けるタイプの男性用尿取りパッドが提案されている（特許文献１）。
しかし、一般的な男性用尿取りパッドは陰茎部を包み込み下着の前身頃の一部に接着テープ等で固定する片面固定タイプが多く、従来の下着では男性用尿取りパッドを安定的に一定位置で配設維持できる構造ではないため、日常の生活動作や軽い運動等により男性用尿取りパッドが一定位置からずれ、男性器の陰茎部が男性用尿取りパッドから抜け出したり、男性器と男性用尿取りパッドの不安定な関係が尿失禁した場合に下着やズボン等を濡らして汚してしまうという不具合がある。
また、従来の下着は着用した場合、男性器の陰茎部・陰嚢部と下腹部・太腿部付根周辺は区画されていないため下腹部や太腿部付根周辺から発せられる汗等によって陰茎部や陰嚢部（特に陰嚢部）が蒸れて不快感や痒み等を感じてしまうという不具合がある。
特に、スポーツをした場合等のように汗を多くかいた場合においては男性器の陰茎部や陰嚢部が顕著に蒸れてしまい不快感や痒み等が一層増してしまうという不具合がある。
【先行技術文献】
【特許文献】
【０００３】
【特許文献１】特開２０１０−３５６９１号公報
【発明の概要】
【発明が解決しようとする課題】
【０００４】
本発明は、上記事実に鑑みなされたものであり、男性器収容仕切ポケットに尿取りパッドを安定状態で配設維持することができるため日常生活動作や軽い運動をしても尿取りパッドの配設位置を安定維持できるので失禁した場合でも下着やズボン等が濡れるのを防止できると共に下腹部・太腿部付根周辺と男性器の陰茎部・陰嚢部が直接接触するのを防いで男性器の陰茎部・陰嚢部が不快感を感じたり蒸れたりするのを可及的に抑えることができる男性器収容仕切ポケット内設型男性器ホールド下着を提供するものである。
【課題を解決するための手段】
【０００５】
請求項１の発明は、前身頃と後身頃を備えた下着本体と、この下着本体の上部に形成された胴部開口部と、前記下着本体の下部の左右にそれぞれ開口形成された脚部開口部と、前記前身頃の裏側に配設された仕切布と、前記前身頃と前記仕切布との間にポケット状に形成された男性器収容仕切ポケットと、前記仕切布に形成された男性器挿入スリットと、を有してなることを特徴としている。
請求項２の発明は、前身頃と後身頃を備えた下着本体と、この下着本体の上部に形成された胴部開口部と、前記下着本体の下部の左右にそれぞれ開口形成された脚部開口部と、前記前身頃の裏側に配設された仕切布と、前記前身頃と前記仕切布との間にポケット状に形成された男性器収容仕切ポケットと、この男性器収容仕切ポケットの上部に形成されたポケット開閉部と、前記仕切布に形成された男性器挿入スリットと、前記男性器収容仕切ポケットの下部に形成された陰嚢部収容部と、を有してなることを特徴としている。
請求項３の発明は、前身頃と後身頃を備えた下着本体と、この下着本体の上部に形成された胴部開口部と、前記下着本体の下部の左右にそれぞれ開口形成された脚部開口部と、前記前身頃の中間部裏側に配設された仕切布と、前記前身頃と前記仕切布との間にポケット状に形成された男性器収容仕切ポケットと、この男性器収容仕切ポケットの上部に形成されたポケット開閉部と、前記仕切布に上下方向に向かって形成された男性器挿入スリットと、前記仕切布の男性器挿入スリットの下方部に形成された陰嚢部抜出阻止部と、前記男性器収容仕切ポケットの下部に形成された陰嚢部収容部と、を有してなることを特徴としている。
【発明の効果】
【０００６】
本発明の男性器収容仕切ポケット内設型男性器ホールド下着は、ポケット状の男性器収容仕切ポケットに尿取りパッドを収容するので尿取りパッドを簡単に安定して定位置に配設、維持することができると共に男性器も男性器収容仕切ポケットに収容されているので、陰茎部が尿取りパッドから外れ難くなり尿失禁しても尿取りパッドが尿を吸収してズボン等を濡らしたり汚したりするのを防止できるという優れた効果を有する。
本発明の男性器収容仕切ポケット内設型男性器ホールド下着は、男性器は仕切布によって太腿部付根周辺・下腹部と直接当接しないので太腿部付根周辺・下腹部の影響を受けて男性器が蒸れたり、不快感を感じたりするのを可及的に抑えることができるという優れた効果を有する。
本発明の男性器収容仕切ポケット内設型男性器ホールド下着は、男性器はポケット状の男性器収容仕切ポケットに収容されるので安定した状態で男性器が収容されると共に男性器が男性器収容仕切ポケットから抜け出たりしないという優れた効果を有する。
【図面の簡単な説明】
【０００７】
【図１】実施例の男性器収容仕切ポケット内設型男性器ホールド下着の後方からの全体斜視図である。
【図２】実施例の男性器収容仕切ポケット内設型男性器ホールド下着の正面図である。
【図３】実施例の男性器収容仕切ポケット内設型男性器ホールド下着のポケット開閉部を開けた状態の概略縦断面図である。
【図４】実施例の男性器収容仕切ポケット内設型男性器ホールド下着の下着本体と仕切布の全体斜視図である。
【図５】実施例の男性器収容仕切ポケット内設型男性器ホールド下着のポケット開閉部を開けて使用状態を示す拡大概略縦断面図である。
【発明を実施するための形態】
【０００８】
発明を実施するために最良の形態の例として以下のような実施例を示す。
【実施例１】
【０００９】
図１〜図５には本発明に係る男性器収容仕切ポケット内設型男性器ホールド下着の一実施例が示されている。なお、この実施例ではトランクス型男性用下着を用いた男性器収容仕切ポケット内設型男性器ホールド下着を示す。
図１に示されるように、本発明に係る男性器収容仕切ポケット内設型男性器ホールド下着１０の下着本体１２は伸縮性を有する繊維素材で形成された前身頃１４と伸縮性を有する繊維素材で形成された後身頃１６を備えている。
前記下着本体１２の上部には胴部開口部１８が形成されている。この胴部開口部１８には環状に形成されたゴム等の伸縮性を有する帯状締付部２０が設けられている。この帯状締付部２０を設けることにより、男性器収容仕切ポケット内設型男性器ホールド下着１０を着用した場合に帯状締付部２０が胴部にフィットした状態で男性器収容仕切ポケット内設型男性器ホールド下着１０を着用することができる。
図２に示されるように、前記下着本体１２の下部の左右には脚部開口部２２、２４がそれぞれ開口形成されている。
前記前身頃１４は第１前身頃部２６と第２前身頃右部２８から構成されている。この第１前身頃部２６には第１前身頃部２６の一部を構成する第１前身頃部内片２６Ａが設けられている。また、前記第２前身頃部２８には第２前身頃部２８の一部を構成する第２前身頃部外片２８Ａが設けられている。
また、この第１前身頃部内片２６Ａと第２前身頃部外片２８Ａの間には男性器の陰茎部１（図５に破線で示す）を突出できる陰茎部突出部３０が形成されている。
図１に示されるように、前記前身頃１４の中間部の裏側には仕切布３２が配設されている。この仕切布３２は矩形状にカットされた伸縮性を有する繊維素材で形成されている。また、仕切布３２の上辺３２Ａにはゴム等の伸縮性を有する仕切布用帯状締付部３４が取り付けられている。この仕切布用帯状締付部３４の上縁部３４Ａは前記帯状締付部２０の上縁部２０Ａよりも低くなるように仕切布用帯状締付部３４は設けられている。
また、前記仕切布３２の一側辺３２Ｂ，他側辺３２Ｃ，下辺３２Ｄの３辺は前記前身頃１４と縫着されている。これにより、前記前身頃１４と前記仕切布３２との間には図３に示されるようなポケット状の男性器収容仕切ポケット３６が形成されている。
図５に示されるように、この男性器収容仕切ポケット３６には男性器の陰茎部１と陰嚢部２が収容されるようになっている。
また、前記帯状締付部２０と前記仕切布用帯状締付部３４の間はポケット開閉部３８とされている。このポケット開閉部３８はゴム等の伸縮性を有する帯状締付部２０とゴム等の伸縮性を有する仕切布用帯状締付部３４との間に形成されているので、開閉可能となっている。従って、前記男性器収容仕切ポケット３６に公知のナプキンタイプの尿取りパッド４０を入れたり出したりする際は前記帯状締付部２０を前方に引っ張るとポケット開閉部３８が開き、それ以外の時はポケット開閉部３８は閉じるようになっている。なお、前記仕切布用帯状締付部３４の上縁部３４Ａは帯状締付部２０の上縁部２０Ａよりも低く位置するようになっているので、帯状締付部２０が掴み易くなっている。
前記男性器収容仕切ポケット３６はポケット状であるので尿取りパッド４０を安定した状態で確実に収容、維持することができるようになっている。しかも、前記男性器収容仕切ポケット３６に収容された尿取りパッド４０は伸縮性を有する前記前身頃１４と伸縮性を有する前記仕切布３２とによって挟まれると共に仕切布３２の一側辺３２Ｂ，他側辺３２Ｃ，下辺３２Ｄの３辺は前記前身頃１４と縫着され、仕切布用帯状締付部３４は帯状締付部２０と当接するので尿取りパッド４０は前身頃１４と仕切布３２によって圧接されるため、尿取りパッド４０は勝手に動いたりすることがなく、安定状態で前記男性器収容仕切ポケット３６に収容、維持される。
図１に示されるように、前記仕切布３２の左右方向中央部には上下方向に向かって男性器挿入スリット４２が形成されている。従って、男性器収容仕切ポケット内設型男性器ホールド下着１０を着用する場合に陰茎部１と陰嚢部２を男性器挿入スリット４２から男性器収容仕切ポケット３６に収容できるようになっている。
前記仕切布３２の男性器挿入スリット４２の下方部は男性器収容仕切ポケット３６に収容した陰嚢部２が容易に男性器収容仕切ポケット３６から抜け出てしまうのを阻止する陰嚢部抜出阻止部４４とされている。
また、図３、図５に示されるように、前記男性器収容仕切ポケット３６の下部には陰嚢部２が収容されて位置する陰嚢部収容部４６が形成されることになる。
【００１０】
次に実施例の男性器収容仕切ポケット内設型男性器ホールド下着１０の作用を説明する。
前立腺や膀胱の病気を手術等で治療して社会復帰を果たしたがクシャミをする等の些細な拍子で尿を失禁してしまうことがある男性がこの男性器収容仕切ポケット内設型男性器ホールド下着１０を着用する場合を例にして作用を説明する。
この男性器収容仕切ポケット内設型男性器ホールド下着１０を穿いた後にポケット開閉部３８を開いて男性器収容仕切ポケット３６に手を入れ、手を男性器挿入スリット４２に入れて男性器の陰茎部１と陰嚢部２を掴み、陰茎部１と陰嚢部２を男性器挿入スリット４２を介して男性器収容仕切ポケット３６に引き出して収容する。
そして、手をポケット開閉部３８から出して再びポケット開閉部３８を開き、尿取りパッド４０を男性器収容仕切ポケット３６に入れると共に陰茎部１を包み込むようにして尿取りパッド４０を陰茎部１に取り付ける。
男性器収容仕切ポケット３６に収容された尿取りパッド４０は、前記前身頃１４と、一側辺３２Ｂ，他側辺３２Ｃ，下辺３２Ｄと仕切布用帯状締付部３４の４辺で囲まれた前記仕切布３２とによって面全体で挟まれて圧接されているので、安定状態で収容、維持される。
なお、前記尿取りパッド４０をポケット開閉部３８を介して男性器収容仕切ポケット３６に収容する場合において仕切布用帯状締付部３４の上縁部３４Ａは帯状締付部２０の上縁部２０Ａよりも低いので、帯状締付部２０が摘み易く、帯状締付部２０を引っ張ってポケット開閉部３８を簡単に開くことができる。
従って、前記男性器収容仕切ポケット内設型男性器ホールド下着１０を着用してクシャミをした際に尿を失禁しても失禁した尿は男性器収容仕切ポケット３６に安定した状態で収容、維持されている尿取りパッド４０に円滑に吸収されるため、男性器収容仕切ポケット内設型男性器ホールド下着１０やズボン等を濡らしたり、汚したりすることを防止できる。
また、前記尿取りパッド４０は安定した状態で男性器収容仕切ポケット３６に収容、維持されるので、前記男性器収容仕切ポケット内設型男性器ホールド下着１０を着用している男性が日常生活で身体を動かしたり、軽い運動をしても前記尿取りパッド４０が勝手に移動したりしてしまうことを防止できるので、社会生活に支障をきたすことはない。
この結果、本発明の男性器収容仕切ポケット内設型男性器ホールド下着１０を着用していれば失禁してズボンを濡らしたり汚したりするおそれがないので、精神的に安定した状態で通常の社会生活を営むことができる。
なお、陰茎部１と陰嚢部２はポケット状の男性器収容仕切ポケット３６にホールド常態で収容されるため、男性器は心地良い感覚で男性器収容仕切ポケット３６に収容されることになる。
また、前記陰嚢部２は陰嚢部収容部４６に収容されると共に陰嚢部抜出阻止部４４が形成されているので、男性器が男性器収容仕切ポケット３６から容易に抜け出ることがなく、男性器収容仕切ポケット内設型男性器ホールド下着１０を着用してスポーツ等をして激しく身体を動かしても、陰嚢部２は陰嚢部収容部４６に心地よくホールドされており、集中してスポーツ等に専念して楽しむことができる。
なお、本発明の男性器収容仕切ポケット内設型男性器ホールド下着１０を着用している時に小便をしたくなった場合は、尿取りパッド４０をポケット開閉部３８を介して取り外して陰茎部１を陰茎部突出部３０を介して突出させるだけで小便をすることができるので、男性器収容仕切ポケット内設型男性器ホールド下着１０を着用していても不便を感じることはない。
【００１１】
また、陰茎部１と陰嚢部２を男性器収容仕切ポケット３６に収容すると陰嚢部２の後方には仕切布３２が位置し、陰茎部１、陰嚢部２と下腹部、太腿部付根周辺との間に仕切布３２が介在するため、陰茎部１、陰嚢部２と下腹部、太腿部付根周辺は直接当接しない。
従って、男性器収容仕切ポケット内設型男性器ホールド下着１０を着用してスポーツ等をして下腹部や太腿部付根周辺が汗を多くかいても、下腹部、大腿部付根周辺の汗は陰茎部１や陰嚢部２に直接接触しないので陰茎部１や陰嚢部２が蒸れることを可及的に抑えることができる。
これにより、陰茎部１や陰嚢部２の蒸れ、痒みや不快感を少なくすることができると共に男性器がホールドされているため、スポーツに集中できると共に十分楽しむことができる。
【００１２】
なお、実施例では男性器収容仕切ポケット内設型男性器ホールド下着１０を着用する場合に男性器収容仕切ポケット３６に尿取りパッド４０を収容したが、必ずしも男性器収容仕切ポケット内設型男性器ホールド下着１０の着用にあたり男性器収容仕切ポケット部３６に尿取りパッド４０を収容しなくてもよい。
例えば、前立腺や膀胱等の病気をしていない者がスポーツをする場合に男性器が蒸れたり、不快感を感じるのを可及的に抑えるために男性器収容仕切ポケット内設型男性器ホールド下着１０を着用してもよく、男性器収容仕切ポケット内設型男性器ホールド下着１０の着用目的は失禁対策使用やスポーツ時使用等に限定されるものでなく、日常的、一般的に使用してもよく、着用目的は限定されるものでないことは勿論である。
【００１３】
なお、男性器収容仕切ポケット内設型男性器ホールド下着１０を構成する前身頃１４、後身頃１６、仕切布３２は伸縮性を有する素材や複合機能混合素材、化学繊維素材、天然繊維素材に限定されるものでなく、また、前身頃１４、後身頃１６、仕切布３２の通気性を図るために前身頃１４、後身頃１６、仕切布３２をメッシュ地で形成したりしてもよいことは自由である。
【００１４】
なお、実施例ではトランクス型の男性用下着を用いて本発明の男性器収容仕切ポケット内設型男性器ホールド下着を説明したが、男性器収容仕切ポケット内設型男性器ホールド下着はトランクス型の男性用下着に限定されるものでなく、ブリーフ型や他の型の男性用下着に適用してもよいことは勿論である。
なお、前記男性器収容仕切ポケット内設型男性器ホールド下着１０の着用手順は実施例で示した手順に限定されないことは勿論である。
また、本発明においては実施例で示したように公知のナプキンタイプの尿取りパッド４０を使用することができるので、専用の尿取りパッドを利用する必要がないので、安価に男性器収容仕切ポケット内設型男性器ホールド下着１０を使用することができる。
なお、実施例ではナプキンタイプの尿取りパッド４０を使用したが、他のタイプの尿取りパッドを使用してもよく、使用する尿取りパッドのタイプは限定されるものでない。
【産業上の利用可能性】
【００１５】
本発明の男性器収容仕切ポケット内設型男性器ホールド下着は、前立腺や膀胱等の病気により無意識に尿失禁してしまう場合やスポーツ等をする時に使用されるだけでなく、一般的、日常的に使用することができる。
【符号の説明】
【００１６】
１０    男性器収容仕切ポケット内設型男性器ホールド下着
１２    下着本体
１４    前身頃
１６    後身頃
１８    胴部開口部
２０    帯状締付部
２２    脚部開口部
２４    脚部開口部
２６    第１前身頃部
２６Ａ  第１前身頃部内片
２８    第２前身頃部
２８Ａ  第２前身頃部外片
３０    陰茎部突出部
３２    仕切布
３４    仕切布用帯状締付部
３６    男性器収容仕切ポケット
３８    ポケット開閉部
４０    尿取りパッド
４２    男性器挿入スリット
４４    陰嚢部抜出阻止部
４６    陰嚢部収容部
【図１】
2015010299.tif 000003
【図２】
2015010299.tif 000004
【図３】
2015010299.tif 000005
【図４】
2015010299.tif 000006
【図５】
2015010299.tif 000007